(57)【要約】    【課題】      とくに大きなサイズの印字用紙Ｌの積み重ねに適し、カートリッジを用いることなく構造を単純化可能で、コストの上昇も抑え、印字用紙Ｌの積層状態を崩すことなく容易に取り出すことができるカッター用スタッカー装置を提供すること。    【解決手段】  印字用紙Ｌを積層スタックする積層空間２７に倒れ防止バー２６を設け、印字用紙Ｌの積層状態を傾斜可能として崩れないようにすることに着目したもので、切断された印字用紙Ｌを積層してゆくスタッカーテーブル８と、スタッカーテーブル８とは独立にピッチ方向において位置調整可能なピッチ規制プレート１５と、積層される印字用紙Ｌの先端部を規制する先端位置規制プレート２３と、スタッカーテーブル８に対して相対的に移動可能であって積層された印字用紙Ｌの下方からこれを上方に突き上げる倒れ防止バー２６と、を有することを特徴とする。【選択図】        図５                            
2005187110.tif 000002
【特許請求の範囲】
【請求項１】
カッターにより所定ピッチで切断された印字用紙を積層するためのカッター用スタッカー装置であって、
前記切断された印字用紙を積層してゆくスタッカーテーブルと、
このスタッカーテーブルとは独立に前記ピッチ方向において位置調整可能なピッチ規制プレートと、
前記積層される印字用紙の先端部を規制する先端位置規制プレートと、
前記スタッカーテーブルに対して相対的に移動可能であって前記積層された印字用紙の下方からこれを上方に突き上げる倒れ防止バーと、
を有することを特徴とするカッター用スタッカー装置。
【請求項２】
前記倒れ防止バーは、
前記スタッカーテーブル、前記ピッチ規制プレートおよび先端位置規制プレートにより形成される積層空間の底部にこれを位置させてあることを特徴とする請求項１記載のカッター用スタッカー装置。
【請求項３】
前記倒れ防止バーは、
前記印字用紙の最小ピッチを規制する前記ピッチ規制プレートの位置と前記先端位置規制プレートとの間の間隔の半分より前記先端位置規制プレート側にこれを位置させてあることを特徴とする請求項１記載のカッター用スタッカー装置。
【請求項４】
前記倒れ防止バーは、
前記スタッカーテーブルに形成した貫通孔から上方に突出可能であることを特徴とする請求項１記載のカッター用スタッカー装置。
【請求項５】
前記倒れ防止バーは、
前記積層された印字用紙を前記ピッチ規制プレート方向に傾斜させることにより、その積層状態を保持可能であることを特徴とする請求項１記載のカッター用スタッカー装置。
【請求項６】
前記スタッカーテーブルは、
前記印字用紙の積層に応じてこれを下降させ、前記スタッカーテーブルの最下方位置において前記倒れ防止バーが前記印字用紙に接触可能とするようにしたことを特徴とする請求項１記載のカッター用スタッカー装置。
【請求項７】
前記先端位置規制プレートは、
前記スタッカーテーブルに積層された前記印字用紙を取り出すために開放するフロントドアの内側にこれを取り付けてあることを特徴とする請求項１記載のカッター用スタッカー装置。
【請求項８】
カッターにより所定ピッチで切断された印字用紙を積層するためのカッター用スタッカー装置であって、
前記切断された印字用紙を積層してゆく積層機構と、
この積層機構とは独立に前記ピッチ方向において位置調整可能なピッチ規制機構と、
このピッチ規制機構とは反対側において、前記積層される印字用紙の先端部を規制する先端位置規制機構と、
前記積層された印字用紙の下方からこれを上方に突き上げて当該印字用紙の積層状態を保持可能な倒れ防止機構と、
を有することを特徴とするカッター用スタッカー装置。
【発明の詳細な説明】
【技術分野】
【０００１】
本発明はカッター用スタッカー装置にかかるもので、とくにプリンターに搭載されるカッターユニットにより切断、排出された印字用紙を順次受け取って積層してゆくカッター用スタッカー装置に関するものである。
【背景技術】
【０００２】
従来のカッター用スタッカー装置は、切断されたラベルやタグその他の印字用紙を受け取って、そのスタック面を一定に保つようにスタックテーブルを上下動させるようにしている。
とくにサイズの大きな印字用紙の場合には、上部を開口した有底の箱形形状のカートリッジをスタッカー装置に設けておき、このカートリッジに切断された印字用紙を積層してゆくようにして、積層された切断用紙をカートリッジごと取り出すことができるようにしているが、ピッチ寸法あるいは幅が大きなサイズの印字用紙の場合には、カートリッジに積層して取り出す構成とすることが構造的および物理的に困難であるという問題がある。
【０００３】
カートリッジ構造として、その下側を支点にして上側を取出し側に傾斜するように開閉する前面パネルにカートリッジを収納するようにした場合には、スタックする印字用紙のサイズに制限があるという問題がある。
また、カートリッジを引き出し構造にして、大きなサイズに対応しようとしても、印字用紙のサイズによってカートリッジを取り替える必要があり、汎用性に欠けるという問題がある。
さらに、カートリッジおよびこれを収納するカートリッジボックスの形状が複雑になるとともに、強度を必要とすることからコストアップの要因になるという問題がある。
さらにまた、カートリッジを廃した構造にした場合には、積み重ねた印字用紙の積層状態が崩れて倒れるので、取り出しに困るという問題がある。
【０００４】
【特許文献１】特開２００３−４０５０９号公報
【発明の開示】
【発明が解決しようとする課題】
【０００５】
本発明は以上のような諸問題にかんがみなされたもので、とくに大きなサイズの印字用紙の積み重ねに適したカッター用スタッカー装置を提供することを課題とする。
【０００６】
また本発明は、カートリッジを用いることなく、構造を単純化可能で、コストの上昇も抑えることができるカッター用スタッカー装置を提供することを課題とする。
【０００７】
また本発明は、積み重ねた印字用紙の積層状態を崩すことなく、印字用紙を容易に取り出すことができるカッター用スタッカー装置を提供することを課題とする。
【０００８】
また本発明は、積み重ねた印字用紙が倒れることを防止し、その積層状態を崩すことなく、印字用紙を取り出すことができるカッター用スタッカー装置を提供することを課題とする。
【課題を解決するための手段】
【０００９】
すなわち本発明は、印字用紙を積層スタックするためにカートリッジを用いることなく積層空間を形成すること、この積層空間において倒れ防止バーを設け、印字用紙の積層状態を傾斜可能として崩れることがないようにすることに着目したもので、第一の発明は、カッターにより所定ピッチで切断された印字用紙を積層するためのカッター用スタッカー装置であって、上記切断された印字用紙を積層してゆくスタッカーテーブルと、このスタッカーテーブルとは独立に上記ピッチ方向において位置調整可能なピッチ規制プレートと、上記積層される印字用紙の先端部を規制する先端位置規制プレートと、上記スタッカーテーブルに対して相対的に移動可能であって上記積層された印字用紙の下方からこれを上方に突き上げる倒れ防止バーと、を有することを特徴とするカッター用スタッカー装置である。
【００１０】
上記倒れ防止バーは、上記スタッカーテーブル、上記ピッチ規制プレートおよび先端位置規制プレートにより形成される積層空間の底部にこれを位置させてあることができる。
【００１１】
上記倒れ防止バーは、上記印字用紙の最小ピッチを規制する上記ピッチ規制プレートの位置と上記先端位置規制プレートとの間の間隔の半分より上記先端位置規制プレート側にこれを位置させてあることができる。
【００１２】
上記倒れ防止バーは、上記スタッカーテーブルに形成した貫通孔から上方に突出可能であることができる。
【００１３】
上記倒れ防止バーは、上記積層された印字用紙を上記ピッチ規制プレート方向に傾斜させることにより、その積層状態を保持可能であることができる。
【００１４】
上記スタッカーテーブルは、上記印字用紙の積層に応じてこれを下降させ、上記スタッカーテーブルの最下方位置において上記倒れ防止バーが上記印字用紙に接触可能とするようにすることができる。
【００１５】
上記先端位置規制プレートは、上記スタッカーテーブルに積層された上記印字用紙を取り出すために開放するフロントドアの内側にこれを取り付けてあることができる。
【００１６】
第二の発明は、カッターにより所定ピッチで切断された印字用紙を積層するためのカッター用スタッカー装置であって、上記切断された印字用紙を積層してゆく積層機構と、この積層機構とは独立に上記ピッチ方向において位置調整可能なピッチ規制機構と、このピッチ規制機構とは反対側において、上記積層される印字用紙の先端部を規制する先端位置規制機構と、上記積層された印字用紙の下方からこれを上方に突き上げて当該印字用紙の積層状態を保持可能な倒れ防止機構と、を有することを特徴とするカッター用スタッカー装置である。
【発明の効果】
【００１７】
本発明によるカッター用スタッカー装置においては、カートリッジを用いることなく、切断された印字用紙を積層してゆくスタッカーテーブルを設け、このスタッカーテーブルに対して相対的に移動可能な倒れ防止バーを設け、印字用紙の積層状態を傾斜可能として崩れることがないようにしたので、サイズの大きな印字用紙を積層してゆく場合でも装置が複雑化することなく、かつその積層状態の倒れを防止して、取り出しに苦労することがない。
【発明を実施するための最良の形態】
【００１８】
本発明は、構造が複雑化しコストが上昇するカートリッジ構造を用いることなく、切断された印字用紙を積層してゆくスタッカーテーブルを設け、このスタッカーテーブルに対して相対的に移動可能な倒れ防止バーを設け、印字用紙の積層状態を傾斜可能として崩れることがないようにしたので、構造が単純かつ取り扱いに便利なカッター用スタッカー装置を実現した。
【実施例】
【００１９】
つぎに本発明の実施例によるカッター用スタッカー装置１を図１ないし図５にもとづき説明する。
図１は、カッター用スタッカー装置１の断面側面図であって、カッター用スタッカー装置１は、積層機構２と、ピッチ規制機構３と、先端位置規制機構４と、倒れ防止機構５と、ドアロック機構６と、を有する。
【００２０】
積層機構２は、カッター７により所定ピッチで切断された印字用紙Ｌを積層してゆくもので、スタッカーテーブル８と、一対のプーリー９に巻き掛けた昇降用エンドレスワイヤ１０と、昇降用駆動部１１と、を有する。
スタッカーテーブル８は、一対のガイドローラー部１２からカッター用スタッカー装置１内部に案内された印字用紙Ｌをその積層面８Ａに上から積み重ねてゆくもので、取付け部８Ｂにおいて昇降用エンドレスワイヤ１０に固定し、昇降用駆動部１１の駆動による昇降用エンドレスワイヤ１０の正逆回転にともなって図中上下に昇降する（図１中、一点鎖線、実線、仮想線を参照）。
取付け部８Ｂには検出用突起部８Ｃを形成し、下方部に位置するスタックフルセンサー１３がこの検出用突起部８Ｃを検出したときがスタッカーテーブル８への印字用紙Ｌの積層限界であり、スタッカーテーブル８は最下方部に位置したことになって、倒れ防止機構５と連係する（後述）。
なお、用紙取出しスイッチ１４を押したときには、スタッカーテーブル８への積層が限界ではなくても、昇降用駆動部１１によりスタッカーテーブル８をその最下方位置に移動することができる。
【００２１】
ピッチ規制機構３は、印字用紙Ｌのピッチ寸法（図１中、左右方向の寸法）に応じて、積層機構２とは独立にピッチ方向において位置調整可能とするもので、左右一対のピッチ規制プレート１５と、位置調整用ダイヤルノブ１６と、ワイヤ１７およびスプリング１８と、左右一対のガイドシャフト１９と、一対のプーリー２０を有する。
図２は、ピッチ規制機構３の要部概略斜視図であって、ピッチ規制プレート１５は、一対のガイドローラー部１２の入口部分から投入されてくる印字用紙Ｌの後端部をその規制面１５Ａにより規制するもので、印字用紙Ｌのピッチ方向に移動可能として、スタッカーテーブル８とは独立にピッチ方向において位置調整可能である。
すなわち、ワイヤ１７をピッチ規制プレート１５のベース部１５Ｂおよび一対のプーリー２０のまわりにスプリング１８により所定の張力で張ってあり、位置調整用ダイヤルノブ１６を正逆方向に回転操作することにより、プーリー２０を回転させ、ワイヤ１７を正逆方向に移動させて、左右一対のガイドシャフト１９に沿ってピッチ規制プレート１５（ベース部１５Ｂ）がガイド溝２１（図３）内を移動調整可能としてある。
【００２２】
図３は、カッター用スタッカー装置１の要部（ピッチ規制機構３、先端位置規制機構４、倒れ防止機構５、ドアロック機構６）を示す概略平面図であって、先端位置規制機構４は、ピッチ規制機構３とは反対側において、積層される印字用紙Ｌの先端部を規制するもので、フロントドア２２と、先端位置規制プレート２３と、を有する。
フロントドア２２は、開閉軸２４のまわりに先端位置規制プレート２３とともに水平面内で旋回開閉可能であって、スタッカーテーブル８に積層された印字用紙Ｌを取り出すために開放する。
先端位置規制プレート２３は、フロントドア２２の内側に取り付けてあるもので、その内壁面２３Ａが、積層される印字用紙Ｌの先端部を規制する。
【００２３】
倒れ防止機構５は、積層された印字用紙Ｌの下方からこれを上方に突き上げて印字用紙Ｌの積層状態を崩れないように保持可能なものであって、カッター用スタッカー装置１のベースブラケット２５に鉛直方向に固定して立設した左右一対の倒れ防止バー２６を有する。
倒れ防止バー２６は、下降してくるスタッカーテーブル８に対して相対的に接近可能、かつ、上昇するスタッカーテーブル８に対して離脱可能であって、図３に示すように、スタッカーテーブル８の積層面８Ａに形成した左右一対の貫通孔８Ｄに挿通突出して、積層状態の印字用紙Ｌを下方から上方に突き上げるように押し上げることができるようになっている。
スタッカーテーブル８の積層面８Ａと、ピッチ規制プレート１５の規制面１５Ａと、先端位置規制プレート２３の内壁面２３Ａとによって形成される積層空間２７に印字用紙Ｌが順次積層されてくるもので、積層空間２７の底部（最下方部）に倒れ防止バー２６を位置させてある。ただし、本実施例においては、印字用紙Ｌの幅方向（図３の上下方向）を規制はしていない。
なお、倒れ防止バー２６は、印字用紙Ｌの最小ピッチを規制するピッチ規制プレート１５の位置と、先端位置規制プレート２３との間の間隔の半分より先端位置規制プレート２３側にこれを位置させ、どのようなピッチの印字用紙Ｌであっても、その先端部側（先端位置規制プレート２３）を下から押し上げて後方側（ピッチ規制プレート１５）に傾斜させることができるようにしてある。
【００２４】
ドアロック機構６は、カッター用スタッカー装置１（積層空間２７）から印字用紙Ｌを取り出すためにフロントドア２２を開閉可能とするとともに、その閉鎖状態をロック保持可能とするもので、上下動プレート２８と、回動ロックプレート２９と、引っ張りスプリング３０と、ロックピン３１と、を有する。
上下動プレート２８は、開閉軸２４とは反対側のカッター用スタッカー装置１のサイドブラケット３２に沿って上下動可能にこれを取り付けてあり、引っ張りスプリング３０により常にロック方向（図１中、上方）に付勢されている。
上下動プレート２８には、押下げ用突出片２８Ａを突出形成し、この押下げ用突出片２８Ａがスタッカーテーブル８の先端下方の押下げ部８Ｅにより押し下げられたとき、引っ張りスプリング３０の付勢力に抗して上下動プレート２８は図１中下方に移動させる。
【００２５】
回動ロックプレート２９は、上下動プレート２８と連結ピン３３によりこれを連結し、上下動プレート２８の上下動に連動して回動軸３４においてロック方向および解除方向に回動可能である。
すなわち、回動ロックプレート２９が回動軸３４のまわりに反時計方向に回動したときそのロック溝２９Ａがロックピン３１に係合してフロントドア２２を閉鎖ロックする。時計方向に回動したときに（図中仮想線）ロック溝２９Ａとロックピン３１との係合が解除されてフロントドア２２を開放可能とする。
なお、サイドブラケット３２には閉鎖センサー３５を設け、フロントドア２２がカッター用スタッカー装置１のサイドブラケット３２に閉鎖したことを検出可能としている。
【００２６】
こうした構成のカッター用スタッカー装置１において、カッター７により所定ピッチで切断された印字用紙Ｌが一対のガイドローラー部１２の部分から積層空間２７に投入される。
図４は、印字用紙Ｌの積層状態を示す概略側面図であって、スタッカーテーブル８の積層面８Ａに順次積層されてゆき、昇降用駆動部１１の駆動制御により一対のプーリー９を逐次わずかに回動させて昇降用エンドレスワイヤ１０を作動させ、スタッカーテーブル８が印字用紙Ｌの積層に応じて順次下降してゆく。したがって、ピッチ規制プレート１５の規制面１５Ａと先端位置規制プレート２３の内壁面２３Ａとの間に強制的に印字用紙Ｌの大容量スタックを可能とする。
【００２７】
なお、印字用紙Ｌのピッチ自体は、位置調整用ダイヤルノブ１６を正逆いずれかの方向に回転させることによりピッチ規制プレート１５を左右一対のガイドシャフト１９に沿って移動調整し、積み重ねる印字用紙Ｌのピッチサイズに合わせることができ、汎用性を高めることができる。
【００２８】
用紙取出しスイッチ１４を押して積層状態の印字用紙Ｌを取り出すときにはスタッカーテーブル８をその最下方位置まで下降させ、あるいはスタックフルとなってスタッカーテーブル８がその最下方位置に至ったときには、検出用突起部８Ｃをスタックフルセンサー１３が検出するとともに、スタックフルを警報手段（図示せず）により警告するとともに、押下げ部８Ｅが押下げ用突出片２８Ａを押してドアロック機構６を作動させ、回動ロックプレート２９とロックピン３１との係合を解除してフロントドア２２を開放可能とする。
【００２９】
図５は、倒れ防止機構５の作動状態を示す概略側面図であって、ドアロック機構６の解除作動と同期して、スタッカーテーブル８の貫通孔８Ｄから倒れ防止バー２６が積層面８Ａより上方に突出して倒れ防止バー２６の先端部が印字用紙Ｌに接触可能となり、印字用紙Ｌの底面の前方側を押し上げて、積層された印字用紙Ｌをピッチ規制プレート１５方向に傾斜させることにより、その積層状態を崩さないように保持可能とする。すなわち、フロントドア２２を開放したときにも、印字用紙Ｌの後端部がピッチ規制プレート１５側に寄せられ、印字用紙Ｌがフロントドア２２側に倒れてくることを防止可能である。
しかも、印字用紙Ｌを積み重ねて重量の大きなスタッカーテーブル８が下降してくることにより、固定待機状態の倒れ防止バー２６が印字用紙Ｌを下方から押し上げ可能としてあるので、印字用紙Ｌないし倒れ防止バー２６を押し上げるための駆動力を必要とせず、簡単な構成とすることができる。もちろん、倒れ防止バー２６をスタッカーテーブル８に対して移動可能とすればよいので、倒れ防止バー２６を上下に駆動する機構を採用することもできる。
【００３０】
フロントドア２２およびその先端位置規制プレート２３を開放したときには、スタッカーテーブル８の積層面８Ａに印字用紙Ｌを直接残しておき、積み重ねられた印字用紙Ｌが倒れ防止機構５の倒れ防止バー２６によりピッチ規制プレート１５方向に傾斜しており、積層状態の印字用紙Ｌが崩れることなく、その状態を保持されていて、倒れ防止バー２６との間に空いた印字用紙Ｌの底部の空間部に指を入れて、印字用紙Ｌを手で直接かつ簡単に取り出すことができる。すなわち、従来のようなカートリッジを用いることがなく、取り出し操作が容易であるとともに、構造が複雑化することがない。
【００３１】
印字用紙Ｌを積層空間２７から取り出し、フロントドア２２を閉鎖したときには、これを閉鎖センサー３５が検出し、昇降用駆動部１１を駆動してスタッカーテーブル８を上方の初期位置まで上昇させる。
【００３２】
かくして、カートリッジを用いることなく、かつ印字用紙Ｌの倒れを防止しつつ、その取り出し操作を容易として、とくにサイズの大きな印字用紙Ｌのスタックに好適なものとすることができる。
【図面の簡単な説明】
【００３３】
【図１】本発明のの実施例によるカッター用スタッカー装置１の断面側面図である。
【図２】同、ピッチ規制機構３の要部概略斜視図である。
【図３】同、カッター用スタッカー装置１の要部（ピッチ規制機構３、先端位置規制機構４、倒れ防止機構５、ドアロック機構６）を示す概略平面図である。
【図４】同、印字用紙Ｌの積層状態を示す概略側面図である。
【図５】同、倒れ防止機構５の作動状態を示す概略側面図である。
【符号の説明】
【００３４】
１  カッター用スタッカー装置（実施例、図１）
２  積層機構
３  ピッチ規制機構
４  先端位置規制機構
５  倒れ防止機構
６  ドアロック機構
７  カッター
８  スタッカーテーブル
８Ａ  スタッカーテーブル８の積層面
８Ｂ  スタッカーテーブル８の取付け部
８Ｃ  取付け部８Ｂの検出用突起部
８Ｄ  スタッカーテーブル８の積層面８Ａに形成した左右一対の貫通孔
８Ｅ  スタッカーテーブル８の押下げ部
９  一対のプーリー
１０  昇降用エンドレスワイヤ
１１  昇降用駆動部
１２  一対のガイドローラー部
１３  スタックフルセンサー
１４  用紙取出しスイッチ
１５  ピッチ規制プレート
１５Ａ  ピッチ規制プレート１５の規制面
１５Ｂ  ピッチ規制プレート１５のベース部
１６  位置調整用ダイヤルノブ
１７  ワイヤ
１８  スプリング
１９  左右一対のガイドシャフト
２０  一対のプーリー
２１  ガイド溝
２２  フロントドア
２３  先端位置規制プレート
２３Ａ  先端位置規制プレート２３の内壁面
２４  開閉軸
２５  ベースブラケット
２６  倒れ防止バー
２７  積層空間
２８  上下動プレート
２８Ａ  上下動プレート２８の押下げ用突出片
２９  回動ロックプレート
２９Ａ  回動ロックプレート２９のロック溝
３０  引っ張りスプリング
３１  ロックピン
３２  サイドブラケット
３３  連結ピン
３４  回動軸
３５  閉鎖センサー
Ｌ    印字用紙（ラベル、タグ）
【図１】
2005187110.tif 000003
【図２】
2005187110.tif 000004
【図３】
2005187110.tif 000005
【図４】
2005187110.tif 000006
【図５】
2005187110.tif 000007